(57)【特許請求の範囲】
【請求項１】
コークス炉ガス中の軽油又はナフタレンを吸収した吸収油を駆出塔に導入し、この駆出塔によって前記吸収油から軽油又はナフタレンを駆出する回収方法において、前記駆出塔内の操作圧力を、２．００×１０4 Ｐａ以上４．００×１０4 Ｐａ以下に減圧するとともに、前記駆出塔内に、駆出剤としてスチームを、前記軽油又はナフタレンを吸収した吸収油ｌｍ3 に対して０．０１ｋｇ以上４．３０ｋｇ以下となるように添加することを特徴とする軽油又はナフタレンの回収方法。
【発明の詳細な説明】
【０００１】
【発明の属する技術分野】
本発明は、コークス炉ガス中の軽油又はナフタレンを吸収した吸収油から、軽油又はナフタレンを駆出する回収方法に関する。
【０００２】
【従来の技術】
一般に、コークス炉ガス精製工程において生成される軽油（例えば、ベンゼン、トルエン、キシレンの混合物）又はナフタレンは、循環吸収溶剤として用いられる吸収油（例えば、クレオソート油、アントラセン油などの比較的重量の芳香族系油の混合物や、石油系ストローオイル）を利用することで吸収されている。そして、軽油又はナフタレンを吸収後の吸収油は、駆出設備などにおいて、軽油又はナフタレンが駆出され、一部の劣化分が除去されたのち、再度コークス炉ガス精製工程において再利用されている。
【０００３】
ここで、吸収油から軽油又はナフタレンを駆出して回収する方法として、熱源のみを利用して駆出させる第一の方法、駆出剤を利用して駆出させる第二の方法、減圧下で駆出させる第三の方法が知られているが、第一の方法においては、駆出する温度が非常に高く、吸収油を劣化させてしまうという問題を有しているため、一般的には第二の方法及び第三の方法が行われている。
例えば、第二の方法として、特開昭５７−４６９２６号公報において、駆出剤としてスチームを用いた方法が提案されている。また、特開昭５７−８４７１７号公報においては、駆出剤としてコークス炉ガスを用いた方法が提案されている。
【０００４】
ところが、特開昭５７−４６９２６号公報で開示された方法においては、多量のスチームの利用による運転コストの増大、スチームが凝縮することによる駆出設備内の腐食及びドレン化した排水の処理などが問題となっていた。また、特開昭５７−８４７１７号公報で開示された方法においては、軽油回収及び駆出設備の運転負荷などが問題となっていた。
第三の方法として、特公平５−３８７９９号公報において、４．００×１０4 Ｐａ以下の減圧下で駆出させる方法が提案されている。
【０００５】
ところが、上記特公平５−３８７９９号公報で開示された方法においては、駆出設備の駆出塔における軽油又はナフタレンを駆出させる留出配管が、コークス炉ガスから吸収された無機塩類によって閉塞し、駆出設備における作業効率を低下させてしまうという問題があった。
そこで、第二及び第三の方法における問題を解決するために、特公平６−３１３２２号公報において、４．００×１０4 Ｐａ以下の減圧下で、軽油又はナフ夕レンが留出する駆出塔の塔頂部に水を導入するという方法が提案されている。
【０００６】
この方法によると、スチームやコークス炉ガスなどの駆出剤を使用することなく、吸収油から軽油又はナフタレンを駆出することができるとともに、駆出塔の留出配管への無機塩類の閉塞を抑制することが可能となり、運転コストの削減、及び作業効率の向上を実現することができるようになった。
【０００７】
【発明が解決しようとする課題】
しかし、駆出塔の塔頂部に水を添加すると、水分を蒸発させるエネルギーロスを招いてしまう。ここで、エネルギー不足の場合、軽油やナフタレンの回収率を低下させてしまう。
また、水を駆出塔の留出配管に添加すると、無機塩による駆出塔内の閉塞を防止することができず、駆出塔の清掃が頻繁になってしまう。
【０００８】
本発明は、上記事情に鑑みてなされたものであり、駆出塔及び駆出塔の留出配管の閉塞を抑制し、軽油又はナフタレンの回収効率を良好にするとともに、安全且つ低コストで作業を行うことを可能とした軽油又はナフタレンの回収方法を提供することを課題としている。
【０００９】
【課題を解決するための手段】
このような課題を解決するために、本発明は、コークス炉ガス中の軽油又はナフタレンを吸収した吸収油を駆出塔に導入し、この駆出塔によって前記吸収油から軽油又はナフタレンを駆由する回収方法において、前記駆出塔内の操作圧力を、２．００×１０4 Ｐａ以上４．００×１０4 Ｐａ以下に減圧するとともに、前記駆出塔内に、駆出剤としてスチームを、前記軽油又はナフタレンを吸収した吸収油ｌｍ3 に対して０．０１ｋｇ以上４．３０ｋｇ以下となるように添加することを特徴としている。
【００１０】
本発明の軽油又はナフタレンの回収方法において、駆出塔内の操作圧力を２．００×１０4 Ｐａ以上４．００×１０4 以下に減圧するとともに、駆出塔内に、駆出剤としてスチームを添加するようにしたことによって、吸収油から効率よく軽油又はナフタレンを回収することができるとともに、スチームの添加により、駆出塔及び駆出塔の留出配管における閉塞を抑制することが可能となる。以下、駆出塔及び駆出塔の留出配管を駆出塔等とも称する。
【００１１】
ここで、操作圧力を２．００×１０4 Ｐａ以上４．００×１０4 以下とすることで、駆出剤のみを利用する駆出方法と比較して運転コストを低減させることが可能となる。操作圧力が低すぎると、軽油又はナフタレンが留出する駆出塔において、蒸気を凝縮して軽油又はナフタレンを取り出す際に、その凝縮に大量の冷却水が必要となってしまい、運転コストが増大してしまう。また、操作圧力が高すぎると、駆出塔等の閉塞防止の他に、吸収油の劣化防止のために吸収液処理温度を低下させる作用も有するスチームが大量に必要となってしまい、運転コストが増大してしまう。
【００１２】
本発明では、スチームを、前記軽油又はナフタレンを吸収した吸収油ｌｍ3 に対して０．０１ｋｇ以上４．３０ｋｇ以下となるように添加することによって、駆出塔等の閉塞を確実に抑制することができるとともに、駆出剤にかかるコストを最小限に抑制することが可能となる。
【００１３】
なお、スチームの添加量が少なすぎると、駆出塔等に無機塩類の閉塞が発生してしまう。また、スチームの添加量が多すぎると、駆出設備の負荷が大きくなってしまい、運転操作及び運転コストが良好ではなくなってしまう。
【００１４】
【発明の実施の形態】
以下、本発明の一実施の形態について、図面を参照して説明する。
図１は、本発明における軽油又はナフタレンの回収方法を実施する装置の一例を示すフローシートである。
本実施形態における軽油又はナフタレンの回収方法を実施する駆出設備１０は、図１に示すように、軽油又はナフタレンを吸収した吸収油（以下、含ベン吸収油と称す）を再生された吸収油（以下、脱ベン吸収油と称す）と熱交換する熱交換器１と、含ベン吸収油及びスチームを加熱する加熱炉２と、この加熱炉２によって加熱された含ベン吸収油から水分及びガス分を除去する脱ガス塔３と、この脱ガス塔３を経た含ベン吸収油と加熱炉２によって加熱されたスチームを添加することで、軽油及びナフタレン、並びに水分を含む蒸気を駆出させる駆出塔４と、この駆出塔４の塔頂部から駆出される蒸気を冷却凝縮させて、軽油及びナフタレン、並びに水分を回収するための冷却コンデンサー５と、駆出塔４内の操作圧力を制御する真空ポンプ６と、劣化吸収油であるピッチ油を除去する脱ピッチ塔８と、駆出塔４を循環させる含ベン吸収油と脱ピッチ塔８を循環させる脱ベン吸収油とを加熱する加熱炉７とから構成されている。
【００１５】
ここで、駆出塔４における操業条件は、操作圧力として２．００×１０4 Ｐａ以上４．００×１０4 Ｐａ以下として運転している。この操作圧力を、２．００×１０4 Ｐａ以上４．００×１０4 Ｐａ以下とすることで、駆出設備１０の運転コストを最小限に押さえることができる。
また、駆出塔４には、この駆出塔４に供給される含ベン吸収油ｌｍ3 に対して、０．０１ｋｇ以上４．３０ｋｇ以下のスチームを添加するようにしている。このスチームの添加量を、０．０１ｋｇ以上４．３０ｋｇ以下とすることで、駆出塔４及び留出配管９が無機塩類によって閉塞することを確実に抑制できるとともに、運転コストを最小限に押さえることができる。
【００１６】
このような軽油又はナフタレンの回収方法において、軽油又はナフタレンを駆出する駆出塔４における操業条件として、操作圧力を２．００×１０4 Ｐａ以上４．００×１０4 Ｐａ以下とし、駆出剤としてスチームの添加量を、軽油又はナフタレンを駆出させる吸収油ｌｍ3 に対して０．０１ｋｇ以上４．３０ｋｇ以下とすることによって、吸収油から確実に軽油又はナフタレンを回収することができるとともに、駆出塔４及び留出配管９の閉塞を抑制することが可能となる。
【００１７】
また、スチームを添加することによって、駆出設備１０の駆出塔４及び留出配管９の閉塞を抑制するようにしたことによって、駆出設備１０内において圧力損失が増大する危険性もなく、作業工程における安全性を向上させることが可能となる。
さらに、駆出剤としてのスチームの添加量を最小限に制限することで、運転コスを低減させることが可能となる。
【００１８】
【実施例】
次に、本実施形態における軽油又はナフタレンの回収方法と、その比較例での軽油性状及び駆出塔４等の閉塞有無の結果を表１に示す。
ここで、実施例としては、上述した図１に示すような設備フローに従い、コークス炉ガス中の軽油を吸収した吸収油（３５０ｍ3 ／ｈ）から、駆出塔４において軽油の回収を行った。このとき、駆出塔４における操業条件は、操作圧力を２．７×１０4 Ｐａとし、駆出剤としてのスチームを１００ｋｇ／ｈで添加した。
【００１９】
また、比較例としては、実施例と同様の設備フローに従い、同様の軽油を吸収した吸収油（３５０ｍ3 ／ｈ）から、操作圧力を２．４×１０4 Ｐａとし、駆出剤としてスチームを一切添加しないという駆出塔４における操業条件のもと、軽油の回収を行った。
【００２０】
【表１】
0004121737.tif 000002
【００２１】
表１に示すように、駆出剤としてスチームを添加しないで回収を行った比較例においては、駆出塔４等において閉塞が起こっているが、駆出剤としてスチームを添加した実施例においては、閉塞がなく、軽油の品質上何の問題も有していないことが分かる。
【００２２】
【発明の効果】
以上説明したように、本発明の軽油又はナフタレンの回収方法によれば、吸収油からの軽油又はナフタレンの回収を、安全かつ低コストで効率よく行うことができるとともに、駆出塔等の閉塞を抑制することが可能となる。
【図面の簡単な説明】
【図１】本発明における軽油又はナフタレンの回収方法を実施する装置の一例を示すフローシートである。
【符号の説明】
１      熱交換器
２      加熱炉
３      脱ガス塔
４      駆出塔
５      冷却コンデンサー
６      真空ポンプ
７      加熱炉
８      脱ピッチ塔
９      留出配管
１０    駆出設備
【図１】
0004121737.tif 000003